(57)【要約】【課題】包装容器の内部に菓子の包み紙などを収容する。【解決手段】容器本体１０およびスリーブ２０から構成され、スリーブ２０の前後の開口を通して容器本体１０が摺動自在に嵌挿された包装容器１において、正面板１１の上端縁に連結片１５が連設されるとともに、連結片１５の先端に、左右各端縁にガイド片１６１がそれぞれ連設された仕切板１６が切り離し可能に連接されている。そして、各ガイド片１６１を左右の側面板１７，１８に沿わせながら連結片１５から切り離された仕切板１６を背面板側に移動させ、容器本体１０に収容された菓子Ｃの取り出しによって発生した空きスペースを利用して菓子の包み紙ｗなどを収容する。【選択図】図６
2009007042.tif 000002
【特許請求の範囲】
【請求項１】
少なくとも左右の側面板、背面板、底面板、正面板を備えた容器本体と、上面部、左右の側面部および底面部を備え、前後両端が開口されたスリーブと、から構成され、スリーブの前後の開口を通して容器本体が摺動自在に嵌挿された包装容器において、前記正面板の上端縁に連結片が連設されるとともに、連結片の先端に、左右各端縁にガイド片がそれぞれ連設された仕切板が切り離し可能に連接されてなり、各ガイド片を左右の側面板に沿わせながら連結片から切り離された仕切板を背面板側に移動させ、容器本体に収容された菓子の取り出しによって発生した空きスペースを利用して菓子の包み紙などを収容することを特徴とする包装容器。
【請求項２】
請求項１記載の包装容器において、前記スリーブにおける上面部における容器本体の正面板に対応する側の一端部に切欠部が形成されるとともに、左右の側面部における容器本体の背面板に対応する側の他端部にそれぞれ切欠部が形成されることを特徴とする包装容器。
【発明の詳細な説明】
【技術分野】
【０００１】
本発明は、菓子の包装容器に関するものである。
【背景技術】
【０００２】
従来、上面が開口された箱状の容器本体と、前後両端が開口された筒状のスリーブと、から構成され、菓子などが収容された容器本体をスリーブの一端側開口を通して摺動自在に嵌挿してなる菓子などの包装容器が提案されている。
【０００３】
このような包装容器においては、包装を開封した後、スリーブから容器本体を引き出して、容器本体に収容された菓子、例えば、キャラメルやガムなどを取り出すようにしている（例えば、特許文献１参照）。
【特許文献１】特許第２６３３４６３号公報
【発明の開示】
【発明が解決しようとする課題】
【０００４】
ところで、キャラメルやガムなどが包み紙によって個別に包装されている場合には、容器本体から菓子を取り出して包み紙を剥離するとともに、剥離した包み紙を廃棄する必要がある。このとき、近くにごみ箱が見当たらない場合には、丸めて衣服のポケットに収容し、改めてごみ箱に廃棄される。また、ときには、路上などにポイ捨てされる。
【０００５】
ここで、菓子がガムの場合、ガムの噛みかすおよび包み紙が個別にポイ捨てされ、あるいは、噛みかすを包み紙で包んでポイ捨てされると、周囲の美観を損ねるばかりでなく、路面に付着したガムを除去するため、多くの時間と費用を必要とするものとなる。
【０００６】
本発明は、このような問題点に鑑みてなされたもので、包装容器の内部に菓子の包み紙などを収容することのできる包装容器を提供するものである。
【課題を解決するための手段】
【０００７】
本発明は、少なくとも左右の側面板、背面板、底面板、正面板を備えた容器本体と、上面部、左右の側面部および底面部を備え、前後両端が開口されたスリーブと、から構成され、スリーブの前後の開口を通して容器本体が摺動自在に嵌挿された包装容器において、前記正面板の上端縁に連結片が連設されるとともに、連結片の先端に、左右各端縁にガイド片がそれぞれ連設された仕切板が切り離し可能に連接されてなり、各ガイド片を左右の側面板に沿わせながら連結片から切り離された仕切板を背面板側に移動させ、容器本体に収容された菓子の取り出しによって発生した空きスペースを利用して菓子の包み紙などを収容することを特徴とするものである。
【０００８】
本発明によれば、スリーブより容器本体を引き出し、容器本体から菓子を取り出せば、取り出した菓子の分だけ空きスペースが発生する。ここで、連結片から仕切板を切り離して、左右のガイド片を左右の側面板に沿わせながら仕切板を背面板側に押し込むと、菓子の取り出しによって発生した空きスペースを仕切板を介して押し込まれた菓子が密着して埋めることができる。これにより、仕切板の移動に伴って正面板との間に取り出した菓子の空きスペースに相当する空間が新たに形成される。
【０００９】
この結果、仕切板と正面板との間に形成された、取り出した菓子の空きスペースに相当する空間を利用して菓子の包み紙を収容することができ、路上にポイ捨てされることを防止できる。特に、ガムの噛みかすを包み紙で包んで収容することができる。
【００１０】
本発明において、前記スリーブにおける上面部における容器本体の正面板に対応する側の一端部に切欠部が形成されるとともに、左右の側面部における容器本体の背面板に対応する側の他端部にそれぞれ切欠部が形成されると、菓子の取り出し時、あるいは、包み紙などの収容時、スリーブに対して容器本体の引き出しに際して指先を切欠部を通して容器本体の左右の側面板、あるいは、容器本体の連結片を把持することができ、容器本体や連結片を容易に引き出すことができる。
【発明の効果】
【００１１】
以上のように本発明によれば、包装容器の内部に菓子の包み紙などを収容することができる。
【発明を実施するための最良の形態】
【００１２】
以下、本発明の実施の形態を図面に基づいて説明する。
【００１３】
図１乃至図３には、本発明の包装容器１の一実施形態が示されている。
【００１４】
この包装容器１は、菓子Ｃを収容する容器本体１０と、該容器本体１０を摺動自在に嵌挿するスリーブ２０と、から構成されている。
【００１５】
容器本体１０は、コートボールを図２に示す展開図にしたがって打ち抜いた後、折り目に沿って折り込むこととともに、所定部分を貼着して組み立てられる。
【００１６】
この容器本体１０は、図２の展開図において、正面板１１の左端縁に底面板１２、背面板１３および糊代１４が折り目ａ，ｂ，ｃを介して順に連設されるとともに、正面板１１の右端縁に連結片１５および仕切板１６が折り目ｄ，ｅを介して順に連設される一方、底面板１２の上下各端縁に左側面板１７および右側面板１８が折り目ｆ，ｇを介してそれぞれ連設され、また、左側面板１７の左右各端縁および右側面板１８の左右各端縁にフラップ１９が折り目ｈを介してそれぞれ連設され、さらに、仕切板１６の上下各端縁にガイド片１６１が折り目ｉを介してそれぞれ連設されて構成されている。
【００１７】
そして、左側面板１７の背面板１３側端部近傍の上端部および右側面板１８の背面板１３側端部近傍の下端部には、底面板１２に関して対称に略弓形状の切欠部１７ａ，１８ａがそれぞれ形成されている。
【００１８】
また、連結片１５に対する仕切板１６の折り目ｅは、中間部および左右端部のみをスポット状に連接するものであり、わずかな力を加えることによって連結片１５に対して仕切板１６を切り離すことができる。さらに、連結片１５の正面板１１側端部の幅は、底面板１２の幅（左右の側面板１７，１８との折り目ｆ，ｇ間の間隔）よりもわずかに大きく設定されており、底面板１２に対して折り目ｆ，ｇに沿って左側面板１７および右側面板１８をそれぞれ谷折りして立ち上げた際、連結片１５の基端部が左側面板１７および右側面板１８の上端縁にわたって支持されるようになっている。
【００１９】
さらにまた、仕切板１６の幅（ガイド片１６１との折り目ｉ，ｉ間の間隔）は、底面板１２の幅（折り目ｆ，ｇ間の間隔）よりもわずかに小さく設定されており、底面板１２に対して折り目ｆ，ｇに沿って左側面板１７および右側面板１８をそれぞれ谷折りして立ち上げた際、ガイド片１６１をそれぞれ左側面板１７および右側面板１８の各内面に沿わせつつ、仕切板１６を左側面板１７および右側面板１８間に配設することができる。また、仕切板１６の高さ（連結片１５との折り目ｅおよび仕切板１６の先端縁間の間隔）は、左右の側面板１７，１８の高さ（底面板１２との折り目ｆ，ｇおよび左右の側面板１７，１８の先端縁間の間隔）と同等もしくは若干小さく設定されている。
【００２０】
次に、このように構成された容器本体１０の組み立て手順について説明する。
【００２１】
まず、図２の展開図にしたがってコートボールを打ち抜くとともに、裏面が上面を向くように反転させ（図４（ａ）参照）、糊代１４の裏面に接着剤を塗布した後、左側面板１７および右側面板１８を底面板１２に対してそれぞれ折り目ｆ，ｇに沿って谷折りするとともに、仕切板１６を連結片１５に対して折り目ｅに沿って谷折りする（図４（ｂ）参照）。次いで、各フラップ１９を左側面板１７および右側面板１８に対してそれぞれ折り目ｈに沿って谷折りする一方、各ガイド片１６１を仕切板１６に対してそれぞれ折り目ｉに沿って谷折りした後、背面板１３を底面板１２に対して折り目ｂに沿って谷折りするとともに、糊代１４を背面板１３に対して折り目ｃに沿って谷折りし、フラップ１９および背面板１３に貼着する（図４（ｃ）参照）。その後、正面板１１を底面板１２に対して折り目ａに沿って谷折りするとともに、各ガイド片１６１が左側面板１７の内面および右側面板１８の内面に沿うように連結片１５を正面板１１に対して折り目ｄに沿って谷折りすることにより、容器本体１０が形成される（図１参照）。
【００２２】
この際、左側面板１７および右側面板１８の上端縁にわたって連結片１５の左右基端部が載置されることにより、容器本体１０には、正面板１１、連結片１５、仕切板１６、底面板１２、左右の側面板１７，１８によって収納空間が区画されている。
【００２３】
このような容器本体１０が形成されたならば、糊代１４、仕切板１６、底面板１２、左側面板１７、右側面板１８によって区画される空間に設定個数の菓子Ｃを収容すればよい。
【００２４】
一方、スリーブ２０は、図３の展開図において、底面部２１の下端縁に、右側面部２２、上面部２３、左側面部２４および糊代２５が折り目ｐ，ｑ，ｒ，ｓを介して順に連設されて構成されている。そして、上面部２３には、容器本体１０の正面板１１に対応する一端部に略三角形状の切欠部２３ａが形成され、また、右側面部２２および左側面部２４には、容器本体１０の背面板１３に対応する他端部に略三角形状の切欠部２３ａがそれぞれ形成されている。
【００２５】
ここで、スリーブ２０の内寸は、スリーブ２０に対して容器本体１０を円滑に摺動することができるように、容器本体１０の外寸に対応して設定されている。
【００２６】
次に、このように構成されたスリーブ２０の組み立て手順について説明する。
【００２７】
まず、図３の展開図にしたがってコートボールを打ち抜くとともに、裏面が上面を向くように反転させた後、左側面部２４に対して糊代２５を折り目ｓに沿って谷折りし、糊代２５の表面に接着剤を塗布する。次いで、上面部２３に対して右側面部２２を底面部２１とともに折り目ｑに沿って谷折りし、底面部２１の裏面を糊代２５の表面に貼着する。その後、底面部２１に対して右側面部２２を折り目ｐに沿って谷折りするように起立させることにより、前後両端が開口されたスリーブ２０が形成される（図１参照）。
【００２８】
スリーブ２０が形成されたならば、スリーブ２０の前端開口を通して菓子Ｃが収容された容器本体１０をその背面板１３側から嵌挿して押し込み、容器本体１０の周囲をスリーブ２０によって包囲した後、詳細には図示しないが、包装容器１をフィルムで包装して出荷される。
【００２９】
ところで、店頭にて菓子などを購入した消費者が菓子などを食する場合は、フィルムを剥離した後、図５に示すように、スリーブ２０の左右の側面部２２，２４に形成された切欠部２２ａ，２４ａを通して容器本体１０の左右の側面板１７，１８を把持し、正面板１１を背面板１３側に向けて押し込むことにより、スリーブ２０から容器本体１０を引き出すことができる。容器本体１０を引き出せば、左右の側面板１７，１８に形成された切欠部１７ａ，１８ａを通して容器本体２０に収容された菓子Ｃを摘み上げることができる（図５参照）。菓子Ｃの取り出しを終了すれば、スリーブ２０に対して容器本体１０を押し込んで収納する。
【００３０】
一方、取り出した菓子Ｃの包み紙ｗを除去して菓子Ｃを食した際、除去した包み紙ｗについては、小さく折り畳んで容器本体１０に形成された収納空間に収容すればよい。
【００３１】
すなわち、スリーブ２０の上面部２３に形成された切欠部２３ａを通して容器本体１０の連結片１５を押圧しつつ引き出すことにより、仕切板１６に対する連結片１５のスポット状の折り目ｅを切り離す。そして、連結片１５を引き出しつつ、正面板１１を底面板１２に対して引き下げる方向に折り曲げ、スリーブ２０の前端開口を開放する（図６（ａ）参照）。次いで、小さく折り畳んだ包み紙ｗをフラップ１９を押し開いて押し込むことにより、スリーブ２０の上面部２３、容器本体１０の底面板１２、左右の側面板１７，１８、仕切板１６、フラップ１９によって区画された収納空間に包み紙ｗを収容することができる（図６（ｂ）参照）。
【００３２】
また、菓子Ｃを容器本体１０から取り出すことにより、容器本体１０の背面板１３側には、取り出した菓子Ｃの容積に相当する空きスペースが発生することから、順次包み紙ｗを押し込むことによって連結板１５から切り離された仕切板１６を背面板１３に向けて押圧し、仕切板１６を介して菓子Ｃを背面板１３側に発生した空きスペースを埋めるように移動させることができる。この際、仕切板１６に連設されたガイド片１６１が、スリーブ２０の上面部２３に浮き上がりが規制されてそれぞれ左右の側面板１７，１８の内面に沿って摺接し、仕切板１６の倒れ込みを防止する。したがって、仕切板１６を移動させることによって収納空間を拡大させ、拡大された収納空間に包み紙ｗを収容することができる。つまり、菓子Ｃを取り出すことによって発生する空きスペースを包み紙ｗの収容空間に利用することができ、包み紙ｗをあふれさせることなく収容することが可能となる。
【００３３】
このようにして、包み紙ｗを収容した後、連結片１５を差し込みフラップとしてスリーブ２０の上面部２３の内面に沿うように差し込むことにより、容器本体１０に収容された包み紙ｗの脱落を防止するように、スリーブ２０の前端開口を正面板１１によって閉鎖することができる。
【００３４】
なお、菓子がガムの場合には、ガムの噛みかすを包み紙ｗにくるんで容器本体１０の収納空間に収容することができる。
【００３５】
このように、容器本体１０に仕切板１６の移動に伴って容積を拡大可能な包み紙ｗの収容空間を形成することにより、菓子Ｃの包み紙ｗなどを収容空間に収容することができ、路上などへの包み紙ｗなどのポイ捨てを防止することができる。
【図面の簡単な説明】
【００３６】
【図１】本発明の包装容器の一実施形態を示す斜視図である。
【図２】図１の包装容器を構成する容器本体の展開図である。
【図３】図１の包装容器を構成するスリーブの展開図である。
【図４】図２の容器本体の組立要領を説明する工程図である。
【図５】図１の包装容器に収容された菓子を取り出す場合の説明図である。
【図６】本発明の包装容器に包み紙を収容する場合を説明する斜視図である。
【符号の説明】
【００３７】
１  包装容器
１０  容器本体
１１  正面板
１２  底面板
１３  背面板
１４  糊代
１５  連結片
１６  仕切板
１６１  ガイド片
１７，１８  側面板
１７ａ，１８ａ  切欠部
２０  スリーブ
２１  底面部
２２，２４  側面部
２３  上面部
２２ａ，２３ａ，２４ａ  切欠部
２５  糊代
ａ，ｂ，ｃ，ｄ，ｅ，ｆ，ｇ，ｈ，ｉ  容器本体の折り目
ｐ，ｑ，ｒ，ｓ  スリーブの折り目
【図１】
2009007042.tif 000003
【図２】
2009007042.tif 000004
【図３】
2009007042.tif 000005
【図４】
2009007042.tif 000006
【図５】
2009007042.tif 000007
【図６】
2009007042.tif 000008